(57)【要約】【課題】プランターの高さを、栽培土の表面に合わせて容易に調節する。【解決手段】箱形のプランター本体２と、上下端が開口し側壁を有する土止め用の枠体３との組み合わせからなり、この枠体３は、第一枠片７と、第二枠片８とからなり、この第一枠片７は、長側壁部９および短側壁部１０の上端外側にフランジ部１１を設けたものであり、第二枠片８は、前記第一枠片７のフランジ部１１の代わりに、フランジ部１１の内外方向の幅よりも大きい幅の大幅フランジ部１２を設けたものであり、第一、第二枠片７、８のフランジ部１１、大幅フランジ部１２を相互に嵌め合わせるとともに、前記各長短側壁部９、１０をオーバーラップさせて枠体３を形成した。【選択図】図１
2008109907.tif 000002
【特許請求の範囲】
【請求項１】
箱形のプランター本体（２）と、上下端が開口し側壁を有する土止め用の枠体（３）との組み合わせからなり、前記枠体（３）を前記プランター本体（２）の内側壁に沿って上下動可能に嵌め合わせたプランター。
【請求項２】
上記プランター本体（２）は、その各側壁を下端に向かうにしたがって内向きに傾斜して形成されたものであり、前記枠体（３）は、それぞれ一対の第一枠片（７）と第二枠片（８）とからなり、
上記各枠片（７、８）は、板状の長側壁部（９）と短側壁部（１０）とを、プランター本体（２）の内側壁のコーナー部に沿うように連結し、前記第一枠片（７）は、その長側壁部（９）および短側壁部（１０）の側端部の上端に下方が開放した枠状のフランジ部（１１）を設けたものであり、前記第二枠片（８）は、その長側壁部（９）および短側壁部（１０）の側端部の上端に、前記フランジ部（１１）の内外方向の幅よりも大きい幅の下方が開放した枠状の大幅フランジ部（１２）を設けたものであり、
一対の上記第一枠片（７）と、一対の上記第二枠片（８）とをそれぞれ上記プランター本体（２）の対角線上に相互に対向させて配置し、隣接する第一、第二枠片（７、８）のフランジ部（１１）と、大幅フランジ部（１２）を相互に嵌め合わせるとともに、前記各長短側壁部（９、１０）をオーバーラップさせて上記枠体（３）を形成したことを特徴とする請求項１に記載のプランター。
【請求項３】
上記プランター本体（２）の内側に内枠（１７）を設け、この内枠（１７）と前記プランター本体（２）との間隔を、上記枠体（３）を差し込める間隔に設定したことを特徴とする請求項１または２に記載のプランター。
【発明の詳細な説明】
【技術分野】
【０００１】
この発明は、花き、観葉植物、樹木、菜類などの植物を栽培するプランターに関する。
【背景技術】
【０００２】
従来、花き、観葉植物、樹木、菜類などの園芸植物を栽培するための植物栽培用容器としてプランターが知られている。このプランターは、様々な形状、大きさのものがあり、また、庭先やベランダ、室内など自由に設置することができるので、幅広く使用されている。
【０００３】
プランターでの植物の栽培には、日光、肥料、水を容器内に確保する必要があるため、プランターに入れられる用土には、水はけ、保水性の良さが求められ、腐葉土類を多く混ぜ、空気を含ませた栽培土を使うなどの制約がある。また、プランターでの植物の栽培期間は、その播種または苗植えから見ごろまたは収穫までが一般的に、４〜６ヶ月であり、この期間中、日光、水、肥料等が必要であり、特に水は不可欠なため、通常、毎日のように水やりを行っている。
【０００４】
プランターに水やりが行われることにより、その栽培土は、内部に含ませた空気が外部に逃げ、さらには多く含まれる腐葉土が溶解して栽培土の容積が減る、減量化現象が起こる。通常、栽培土の容積の減少は、１ヶ月で約１０％、６ヶ月で約３０％の割合で進行する。この減量化現象が起こるとプランターに栽培土を入れて植物の栽培を開始した時よりも、その栽培土の表面の高さが低下し、その低下により、プランターの側壁が邪魔になって栽培者の求める見頃となった花きなどの栽培植物の全体を観賞することが難しい。
【０００５】
また、栽培植物は、通常、栽培土から水分や養分を吸収するため茎（幹）から下方に向かって多数枝分かれし、太根、中根、細根と次第に細くなる根を成長させる。しかし、栽培土に減量化現象が起こると、図９に示すように、栽培植物の根のうち末端の細根の成長する空間がほとんどなくなり、その細根の成長が阻害されることとなる。この細根の成長の阻害によって栽培植物の生育不良を引き起こすという問題もあった。
【０００６】
上記の問題を解決するために、底部を有する円筒状のプランター本体と、このプランター本体の開口部と同径の円筒状枠体との組み合わせからなり、前記プランター本体の上部および円筒状枠体の周壁の全周に、幅広のねじ溝を形成し、プランター本体の上部に円筒状枠体をこれらのねじ溝によりねじ結合して一体化するプランターが提案されている（特許文献１参照）。
【特許文献１】特公昭５７−４５５２７号公報（２段目１６行〜２１行目  図１、図２）
【０００７】
上記特許文献１のプランターは、プランター本体の上部にねじ結合した円筒状枠体を、回転させることにより、上方または下方に移動してプランターの高さを調節することができる。プランターの高さ調節ができるので、上述のように、日々の水やりにより栽培土の高さが低下した際に、プランターの高さを栽培用の土の表面に合わせて移動して、見頃となった花きなどの栽培植物の全体を観賞することができる。
【０００８】
また、日々の水やりによる栽培土の容積の減少を見越して、あらかじめ、栽培土の入れる量を増やし、栽培土の表面の高さを高くすることにより、栽培植物の細根の成長する空間を確保して、栽培植物の成長を促すことができる。
【発明の開示】
【発明が解決しようとする課題】
【０００９】
上記の特許文献１のプランターは、プランター本体と円筒状枠体とをねじ結合により一体化するものである。そのため、プランター本体および円筒状枠体を、当然ながら円筒形に形成する必要があり、その他の形状、例えば、箱形などでは、ねじ結合により相互に相対回転させてプランターの高さを調整する方法は、適用することができないという問題があった。
【００１０】
また、上記プランターの高さを調節する際に、プランター本体のねじ溝と円筒状枠体のねじ溝との間に栽培土が入り込んで摩擦が大きくなる。摩擦が大きくなれば円筒状枠体の回転が難しく、この円筒状枠体を回転させてプランターの高さを調節することが難しくなるという問題があった。
【００１１】
そこで、この発明は、プランターの高さを栽培土の表面に合わせて容易に調節することができるプランターを提供することを課題とする。
【課題を解決するための手段】
【００１２】
上記課題を達成するために、この発明は、上記枠体の側壁を上記プランター本体の内側壁に接触させながら上下動可能に嵌め合わせた構成としたのである。
【００１３】
このようにすれば、上記枠体をプランター本体の内側壁の上部に嵌め合わせ、栽培土を枠体の上部まで入れ、水やりなどによりその栽培土の表面の高さが低下した際に、枠体を下方に移動させる。この枠体を移動させることで、栽培土の表面に合わせてプランターの高さを容易に調節することができる。
【００１４】
この発明の構成としては、箱形のプランター本体と、上下端が開口し側壁を有する土止め用の枠体との組み合わせからなり、前記枠体を前記プランター本体の内側壁に沿って上下動可能に嵌め合わせたものとしたのである。
【００１５】
この構成において、上記プランター本体が、その各側壁を下端に向かうにしたがって内向きに傾斜して形成されたものであり、前記枠体は、それぞれ一対の第一枠片と、第二枠片とからなり、前記各枠片は、板状の長側壁部と短側壁部とを、プランター本体の内側壁のコーナー部に沿うように連結し、前記第一枠片は、その長側壁部および短側壁部の上端に下方が開放した枠状のフランジ部を設けたものであり、前記第二枠片は、その長側壁部および短側壁部の上端に、前記フランジ部の内外方向の幅よりも大きい幅の下方が開放した枠状の大幅フランジ部を設けたものであり、一対の前記第一枠片と、一対の前記第二枠片とをそれぞれ前記プランター本体の対角線上に相互に対向させて配置し、隣接する第一、第二枠片のフランジ部と大幅フランジ部とを相互に嵌め合わせるとともに、前記各長短側壁部をオーバーラップさせて前記枠体を形成した構成にすることができる。
【００１６】
この構成によると、上記プランター本体が、その各側壁を下端に向かうに従ってそれぞれ内向きに傾斜して形成された場合に、枠体のオーバーラップ部の範囲が大きくなる向きに各枠片をスライドさせ、枠体をその側壁をプランター本体の内側壁に摺接させながら下方に移動させることができる。
【００１７】
また、上記プランター本体の内側に内枠を設け、この内枠と前記プランター本体との間隔を、上記枠体を差し込める間隔に設定した構成を採用すると、前記プランター本体と内枠との間に枠体を差し込むことができる。このため、この枠体をプランター本体に差し込む際に、プランター本体内の栽培土、または栽培植物の根が邪魔にならず、枠体を容易に差し込むことができる。
【発明の効果】
【００１８】
この発明は、以上のように構成したので、プランターの高さを栽培土の表面に合わせて容易に調節することができる。
【００１９】
また、栽培開始時、水やりによる栽培土の容積の減少分を見越して栽培土を多く入れることにより、栽培土の量、栽培土の表面高さを確保し、大型（大容量）のプランターとして使用することができるとともに、より大型の種類の植物を栽培することができる。
【００２０】
栽培土を多く入れて、栽培土の表面の高さを確保することで、その高さの増加分で栽培植物の根、特に細根の成長する空間が増えて、その栽培植物の成長が良くなる。
【００２１】
さらに、栽培土の表面高さを確保するために使用していた大型（大容量）のプランターを使用する必要がなくなり、設置スペースを小さくすることができる。
【００２２】
また、プランターはその土台面積（設置スペース）が変わらないので、従来のように配置することができる。また、栽培植物の形の組み合わせに加え、異なったプランターの高さを生かした並べ方ができ、レイアウトの自由度が増し、ディスプレー効果を発揮させることができる。
【発明を実施するための最良の形態】
【００２３】
この発明の実施形態のプランターを図１〜図５に示す。この実施形態のプランター１は、図１に示すように、箱形のプランター本体２と、上下端が開口し側壁を有する枠状の土止め用の枠体３との組み合わせからなり、この枠体３を前記プランター本体２の開口部４に上下動可能に嵌め合わせるものである。
【００２４】
上記プランター本体２は、上端が開口し、下端に底部を有する箱状に形成されており、一対の対向する長側壁５、５と、短側壁６、６とが下端に向かうに従って、それぞれ内向きに傾斜している。上端の開口部４周縁の側壁には、外向きに延びるつば１４が設けられている。
【００２５】
上記枠体３は、図２に示すように、一対の第一枠片７と、一対の第二枠片８とからなる。各第一枠体７は、板状の長側壁部９および短側壁部１０をプランター本体２の長側壁５および短側壁６により形成されるコーナー部に沿うように連結される（図１参照）。その長側壁部９および短側壁部１０の側端部の上端には、全長にわたって下方が開放した枠状のフランジ部１１が設けられる。
【００２６】
各第一枠体７の長側壁部９および短側壁部１０は、下端に向かうに従って内向きに傾斜しており、このように傾斜させれば、枠体３を上記プランター本体２に嵌め合わせた際に、上記プランター本体２の内向きに傾斜した長側壁５および短側壁６に、第一枠片７の長側壁部９および短側壁部１０を摺接させることができる。
【００２７】
第二枠片８は、第一枠片７のフランジ部１１の代わりに、そのフランジ部１１の内外方向の幅よりも大きい大幅フランジ部１２を設けたものであり、その他の構成は前記第一枠片７と同様である。すなわち、図３に示すように、第二枠片８の大幅フランジ部１２は、下方が開放した枠状に形成され、その内側と外側との壁の間隔Ｗ２が第一枠片７のフランジ部１１の内外方向の幅Ｗ１よりも大きく形成されている。この間隔Ｗ２が幅Ｗ１よりも大きく形成されると、図４に示すように、第二枠片８の大幅フランジ部１２に、第一枠片７のフランジ部１１をすき間なく嵌め合わせることができる。
【００２８】
なお、第一枠片７にフランジ部１１を設けず、第二枠片８の大幅フランジ部１２に、第一枠片７の長側壁部９、または短側壁部１０を差し込んでもよい。
【００２９】
一対の各第一枠片７、７と、一対の各第二枠片８、８をそのフランジ部１１、大幅フランジ部１２を上方に向けた状態で、上記プランター本体２の対角線上に相互に対向させて配置する。この状態で、第一枠片７のフランジ部１１を、これと隣接する第二枠片８の大幅フランジ部１２に嵌め合わせるとともに、前記各枠片７、８の長側壁部９、９同士、短側壁部１０、１０同士をそれぞれオーバーラップさせて上記枠体３を形成する（図１参照）。
【００３０】
このようにして形成された枠体３は、その長短側壁部９、１０のオーバーラップ部１３の範囲が大きくなる方向に第一枠片７と、第二枠片８とを相互にスライド可能となり、プランター本体２の内側壁に摺接させながら、容易に下方に移動させることができる。
【００３１】
この実施形態のプランター１は、以上のように構成され、次にその使用方法を説明する。
最初に、図５に示すように、プランター本体２の開口部４周縁の長側壁５、短側壁６の上部に、一対の第一枠片７および一対の第二枠片８を組み合わせた枠体３の下部を嵌め合わせる。このとき、図５（ａ）に示すように、枠体３のフランジ部１１（大幅フランジ部１２）を、プランター本体２のつば１４から所定の間隔をもって上方に位置させる。この枠体３の上端まで栽培土を入れる。この状態で、栽培植物の種、苗、球根などを植える。
【００３２】
次に、栽培植物に水やりを行うことにより、栽培土の高さが低下しても、その低下した幅に応じて、上記第一、第二枠片７、８を、そのオーバーラップ部１３の範囲が大きくなる向きにそれぞれスライドさせ、すなわち、上記枠体３の長側壁部９、短側壁部１０のそれぞれを、プランター本体２の長側壁５、短側壁６に摺接させながら下方に移動させる。このとき、栽培土の高さの低下を見越して栽培土を増量しているため（図５（ａ）参照）、栽培土の高さが低下しても、栽培植物の根、特に細根の成長する空間が確保されているため栽培植物の成長が良くなる。
【００３３】
その後、花きなどの栽培植物が見頃になれば、上記枠体３をプランター本体２から取り外して、プランター本体２の上端まで栽培土が入った状態にすることができ、花きなどの栽培植物がプランター本体２の長側壁５、短側壁６により邪魔されずに観賞することができる（図５（ｂ）参照）。
【００３４】
また、上記枠体３を取り外さずに、図５（ｃ）に示すように、枠体３をプランター本体２を栽培土がこの枠体３の上端まで入った状態で、花きなどの栽培植物を観賞することもできる。
【００３５】
また、この発明の実施形態２として、図６に示すように、上記プランター本体２を、その長側壁５と短側壁６とをそれぞれ直角に形成し、上記枠体３を前記プランター本体２と同様に、長側壁１５および短側壁１６を互いに直角に形成してもよい。
【００３６】
さらに、この発明の実施形態３として、図７、図８に示すように、上記プランター本体２の内側に上下端が開放した内枠１７を設け、この内枠１７は、その外壁面とプランター本体２内壁面との間隔を、上記枠体３を差し込むことのできる間隔に設定したものである。これにより、プランター本体２と内枠１７との間に枠体３を差し込むことができる。このため、この枠体３をプランター本体２に差し込む際に、プランター本体２内の栽培土または、栽培植物の根が邪魔にならず、枠体３を容易に差し込むことができる。
【００３７】
また、上記内枠１７は、前記枠体３と同様に４分割して、それぞれ所定幅でオーバーラップさせて形成してもよい。前記内枠１７の各側壁を相互に直角に形成し、上記実施形態２の場合のプランター本体２の内側に設けてもよい。
【図面の簡単な説明】
【００３８】
【図１】実施形態のプランターを示す斜視図
【図２】同上のプランターの枠体を示す分解斜視図
【図３】同上のプランターの各枠片のフランジ部を示す断面図
【図４】同上のプランターの各枠片を嵌め合わせた状態を示す一部斜視図
【図５】同上のプランターの使用状態を示す簡略図
【図６】実施形態２のプランターを示す斜視図
【図７】実施形態３のプランターを示す斜視図
【図８】実施形態３のプランターの使用状態を示す斜視図
【図９】従来のプランターの使用状態を示す簡略図
【符号の説明】
【００３９】
１  プランター
２  プランター本体
３  枠体
４  開口部
５  長側壁
６  短側壁
７  第一枠片
８  第二枠片
９  長側壁部
１０  短側壁部
１１  フランジ部
１２  大幅フランジ部
１３  オーバーラップ部
１４  つば
１５  長側壁
１６  短側壁
１７  内枠
【図１】
2008109907.tif 000003
【図２】
2008109907.tif 000004
【図３】
2008109907.tif 000005
【図４】
2008109907.tif 000006
【図５】
2008109907.tif 000007
【図６】
2008109907.tif 000008
【図７】
2008109907.tif 000009
【図８】
2008109907.tif 000010
【図９】
2008109907.tif 000011